(57)【要約】【課題】見る角度によって画像が変化するような視覚効果を備える画像印刷物の作成方法及びその作成装置を提供する。【解決手段】レンチキュラレンズを並べたレンチキュラシートを用いることにより、見る角度を変えると画像が直ちに他の画像へ切り換わるチェンジング、見る角度を変えると画像が徐々に他の画像へ変化するモーフィング、見る角度を変えると画像が移動して変化するムービング、見る角度を変えると画像が拡大又は縮小するズームの少なくとも１つの視覚効果を備える画像印刷物の作成方法であって、  使用画像の取込から画像印刷物の作成までを、視覚効果に応じる処理と、レンチキュラシートに画像を対応させるインターレース処理とを介して、一連の処理で行う。【選択図】図１
2006205581.tif 000002
【特許請求の範囲】
【請求項１】
レンチキュラレンズを並べたレンチキュラシートを用いることにより、見る角度を変えると画像が直ちに他の画像へ切り換わるチェンジング、見る角度を変えると画像が徐々に他の画像へ変化するモーフィング、見る角度を変えると画像が移動して変化するムービング、見る角度を変えると画像が拡大又は縮小するズームの少なくとも１つの視覚効果を備える画像印刷物の作成方法であって、
使用画像の取込から画像印刷物の作成までを、前記視覚効果に応じる処理と、前記レンチキュラシートに画像を対応させるインターレース処理とを介して、一連の処理で行うことを特徴とする画像印刷物の作成方法。
【請求項２】
課金を確認する処理を備え、課金確認から画像印刷物の作成までを一連の処理で行うことを特徴とする請求項１記載の画像印刷物の作成方法。
【請求項３】
使用画像の取込を、撮影手段による撮影、内部画像記憶手段からの読込、外部画像記憶手段からの読込より選択して行うことを特徴とする請求項１又は２記載の画像印刷物の作成方法。
【請求項４】
インターレース処理した画像をメディアシートに出力することを特徴とする請求項１〜３のいずれかに記載の画像印刷物の作成方法。
【請求項５】
インターレース処理した画像をメディアシートに出力し、出力したメディアシートとレンチキュラシートとを位置合わせするよう貼り付けて画像印刷物を作成することを特徴とする請求項１〜３のいずれかに記載の画像印刷物の作成方法。
【請求項６】
インターレース処理した画像をレンチキュラシートに位置合わせして出力することを特徴とする請求項１〜３のいずれかに記載の画像印刷物の作成方法。
【請求項７】
視覚効果に応じる処理で、チェンジングの処理は、画像が直ちに他の画像へ切り換わるよう使用画像の変化の順番を選択し、モーフィングの処理は、画像が徐々に変化するよう使用画像の変化の順番を選択し且つ中間変化画像を作成し、ムービングの処理は、画像が移動して変化するよう使用画像の移動の順番を選択し且つコマ送り画像を作成し、ズームの処理は、画像が拡大又は縮小するよう使用画像の変化の順番を選択し且つコマ送り画像を作成することを特徴とする請求項１〜６のいずれかに記載の画像印刷物の作成方法。
【請求項８】
インターレース処理は、レンチキュラシートのレンチキュラレンズ数に対応するよう画像を分割し、分割した画像をレンチキュラレンズの幅に対応するよう線状画像に加工し、前記線状画像を、画像が変化する順番で各レンチキュラレンズ単位ごとに配列することを特徴とする請求項１〜６のいずれかに記載の画像印刷物の作成方法。
【請求項９】
インターレース処理は、レンチキュラシートのレンチキュラレンズ数に対応するよう画像を分割し、分割した画像をレンチキュラレンズの幅に対応するよう線状画像に加工し、前記線状画像をレンチキュラレンズの配置に対応するピッチで配列し、夫々の線状画像を、画像が変化する順番でずらして重ね合せることを特徴とする請求項１〜６のいずれかに記載の画像印刷物の作成方法。
【請求項１０】
使用画像を取り込む画像取込部と、取り込んだ画像を視覚効果に応じて処理する画像処理部と、画像処理手段からの画像をレンチキュラシートに対応させるようインターレース処理するインターレース処理部と、画像印刷物を作成する出力部とを備え、
使用画像の取込から画像印刷物の作成までを一連して行うよう構成したことを特徴とする画像印刷物の作成装置。
【発明の詳細な説明】
【技術分野】
【０００１】
本発明は、視覚効果を有する画像印刷物を作成する画像印刷物の作成方法及びその作成装置に関するものである。
【背景技術】
【０００２】
近年、ボックス状の室内で撮影した画像を直ちに印刷し得るよう画像印刷物の作成装置が存在しており、画像印刷物の作成装置は、カメラ等の撮影部と、撮影部で撮影した画像を表示する画面表示部と、撮影した画像に所定の効果を施す制御部と、撮影部及び制御部からの信号を受けて処理する印刷部とを備えている。
【０００３】
画像印刷物の作成装置で印刷物を作成する際には、ボックス内に居るユーザが、撮影部により撮影される自らの撮影状態を、画面表示部により確認すると共に背景画像や大きさ等を選択して決定し、印刷部からの印刷により画像をシール等の画像印刷物として作成するようにしている。
【０００４】
なお、このような画像印刷物の作成装置を示すものとしては、例えば、特許文献１がある。
【特許文献１】特開２００４−２２９０１３号公報
【発明の開示】
【発明が解決しようとする課題】
【０００５】
しかしながら、このような画像印刷物の作成装置では、撮影した画像に施す装飾等が、固定した視覚効果に限定されるため、一層の視覚効果を有するような画像印刷物を作成することができないという問題があった。
【０００６】
本発明は、斯かる実情に鑑み、見る角度によって画像が変化するような視覚効果を備える画像印刷物の作成方法及びその作成装置を提供しようとするものである。
【課題を解決するための手段】
【０００７】
本発明は、レンチキュラレンズを並べたレンチキュラシートを用いることにより、見る角度を変えると画像が直ちに他の画像へ切り換わるチェンジング、見る角度を変えると画像が徐々に他の画像へ変化するモーフィング、見る角度を変えると画像が移動して変化するムービング、見る角度を変えると画像が拡大又は縮小するズームの少なくとも１つの視覚効果を備える画像印刷物の作成方法であって、
使用画像の取込から画像印刷物の作成までを、前記視覚効果に応じる処理と、前記レンチキュラシートに画像を対応させるインターレース処理とを介して、一連の処理で行うことを特徴とする画像印刷物の作成方法にかかるものである。
【０００８】
本発明は、課金を確認する処理を備え、課金確認から画像印刷物の作成までを一連の処理で行うことが好ましい。
【０００９】
本発明は、使用画像の取込を、撮影手段による撮影、内部画像記憶手段からの読込、外部画像記憶手段からの読込より選択して行うことが好ましい。
【００１０】
本発明は、インターレース処理した画像をメディアシートに出力することが好ましい。
【００１１】
本発明は、インターレース処理した画像をメディアシートに出力し、出力したメディアシートとレンチキュラシートとを位置合わせするよう貼り付けて画像印刷物を作成することが好ましい。
【００１２】
本発明は、インターレース処理した画像をレンチキュラシートに位置合わせして出力することが好ましい。
【００１３】
本発明において、視覚効果に応じる処理で、チェンジングの処理は、画像が直ちに他の画像へ切り換わるよう使用画像の変化の順番を選択し、モーフィングの処理は、画像が徐々に変化するよう使用画像の変化の順番を選択し且つ中間変化画像を作成し、ムービングの処理は、画像が移動して変化するよう使用画像の移動の順番を選択し且つコマ送り画像を作成し、ズームの処理は、画像が拡大又は縮小するよう使用画像の変化の順番を選択し且つコマ送り画像を作成することが好ましい。
【００１４】
本発明において、インターレース処理は、レンチキュラシートのレンチキュラレンズ数に対応するよう画像を分割し、分割した画像をレンチキュラレンズの幅に対応するよう線状画像に加工し、前記線状画像を、画像が変化する順番で各レンチキュラレンズ単位ごとに配列することが好ましい。
【００１５】
本発明において、インターレース処理は、レンチキュラシートのレンチキュラレンズ数に対応するよう画像を分割し、分割した画像をレンチキュラレンズの幅に対応するよう線状画像に加工し、前記線状画像をレンチキュラレンズの配置に対応するピッチで配列し、夫々の線状画像を、画像が変化する順番でずらして重ね合せることが好ましい。
【００１６】
本発明は、使用画像を取り込む画像取込部と、取り込んだ画像を視覚効果に応じて処理する画像処理部と、画像処理手段からの画像をレンチキュラシートに対応させるようインターレース処理するインターレース処理部と、画像印刷物を作成する出力部とを備え、
使用画像の取込から画像印刷物の作成までを一連して行うよう構成したことを特徴とする画像印刷物の作成装置にかかるものである。
【００１７】
本発明によれば、使用画像の取込から画像印刷物の作成までを、視覚効果に応じる処理と、レンチキュラシートに画像を対応させるインターレース処理とを介して一連の処理で行うことにより、チェンジング、モーフィング、ムービング、ズームの少なくとも１つの視覚効果を備えるので、画像印刷物は、固定した視覚効果に限定されることなく、見る角度によって画像が変化するような視覚効果を得ることができる。又、使用画像の取込から画像印刷物の作成までを一連の処理で行うので、視覚効果を備えた画像印刷物を、使用画像の取込から容易に且つ連続的に作成することができる。
【００１８】
課金を確認する処理を備え、課金確認から画像印刷物の作成までを一連の処理で行うと、視覚効果を備えた画像印刷物を、課金確認から容易に且つ連続的に作成することができる。
【００１９】
使用画像の取込を、撮影手段による撮影、内部画像記憶手段からの読込、外部画像記憶手段からの読込より選択して行うと、使用画像の自由度を高めるので、見る角度によって画像が変化するような視覚効果を一層高めると共に、視覚効果を備えた画像印刷物を容易に作成することができる。
【００２０】
インターレース処理した画像をメディアシートに出力すると、画像印刷部の作成を一層容易にするので、使用画像の取込から画像印刷物の作成までを好適に行うと共に製造コストを低減することができる。
【００２１】
インターレース処理した画像をメディアシートに出力し、出力したメディアシートとレンチキュラシートとを位置合わせするよう貼り付けて画像印刷物を作成すると、画像印刷部の作成を容易にするので、使用画像の取込から画像印刷物の作成までを好適に行うことができる。
【００２２】
インターレース処理した画像をレンチキュラシートに位置合わせして出力すると、画像印刷部の作成を容易にするので、使用画像の取込から画像印刷物の作成までを好適に行うことができる。
【００２３】
視覚効果に応じる処理で、チェンジングの処理は、画像が直ちに他の画像へ切り換わるよう使用画像の変化の順番を選択し、モーフィングの処理は、画像が徐々に変化するよう使用画像の変化の順番を選択し且つ中間変化画像を作成し、ムービングの処理は、画像が移動して変化するよう使用画像の移動の順番を選択し且つコマ送り画像を作成し、ズームの処理は、画像が拡大又は縮小するよう使用画像の変化の順番を選択し且つコマ送り画像を作成すると、視覚処理に応じる処理を容易に行うので、使用画像の取込から画像印刷物の作成までを好適に行うことができる。
【００２４】
インターレース処理は、レンチキュラシートのレンチキュラレンズ数に対応するよう画像を分割し、分割した画像をレンチキュラレンズの幅に対応するよう線状画像に加工し、前記線状画像を、画像が変化する順番で各レンチキュラレンズ単位ごとに配列すると、インターレース処理を容易に行うので、使用画像の取込から画像印刷物の作成までを好適に行うことができる。
【００２５】
インターレース処理は、レンチキュラシートのレンチキュラレンズ数に対応するよう画像を分割し、分割した画像をレンチキュラレンズの幅に対応するよう線状画像に加工し、前記線状画像をレンチキュラレンズの配置に対応するピッチで配列し、夫々の線状画像を、画像が変化する順番でずらして重ね合せると、インターレース処理を容易に行うので、使用画像の取込から画像印刷物の作成までを好適に行うことができる。
【発明の効果】
【００２６】
本発明によれば、画像印刷物は、固定した視覚効果に限定されることなく、見る角度によって画像が変化するような視覚効果を得ることができる。又、使用画像の取込から画像印刷物の作成までを一連の処理で行うので、視覚効果を備えた画像印刷物を、使用画像の取込から容易に且つ連続的に作成することができるという優れた効果を奏する。
【発明を実施するための最良の形態】
【００２７】
以下、本発明の実施の形態例を添付図面を参照して説明する。
【００２８】
図１〜図１９は本発明を実施する形態例を示すものである。
【００２９】
本発明の実施の形態例の画像印刷物の作成方法及びその作成装置は、図３に示す如く、半円柱状のレンチキュラレンズ１を多数並べたレンチキュラシート２を用いて画像印刷物を作成するものであり、画像印刷部の作成装置の構成は、図２に示す如く、課金を検出する課金検出部３と、表示画面を備えて画像の処理及び効果を選択し得る表示部４と、使用画像を取り込む画像取込部５と、取り込んだ使用画像を処理する制御部６と、制御部６からの信号により画像を印刷する出力部７と、印刷した画像を画像印刷物に後加工する後加工部８とを備えている。
【００３０】
ここで、制御部６は、内部に、使用画像を視覚効果に応じて処理する画像処理部９と、画像処理部９からの画像をレンチキュラシート２に対応させるようインターレース処理するインターレース処理部１０とを備え、課金確認から画像印刷物の加工までを制御するようにしている。
【００３１】
ユーザが画像印刷物の作成方法及びその作成装置により画像印刷物を作成する際には、図１に示すフローに示す如く、課金検出部３により課金を確認する確認段階（ステップＳ１）と、表示部４により画像の処理及び効果を選択する選択段階（ステップＳ２）と、画像取込部５により使用画像を取り込む取込段階（ステップＳ３）と、レンチキュラシート２への挿入画像を作成するよう画像処理部９により視覚効果に応じさせる段階（ステップＳ４）と、レンチキュラシート２に挿入画像を対応させるインターレース処理の段階（ステップＳ５）と、出力部７でレンチキュラシート２若しくは紙やプラスチックシート等のメディアシートへ画像を出力する出力段階（ステップＳ６，Ｓ７，Ｓ８）と、後加工部８により裁断等の加工をする後加工段階（ステップＳ９）と、作成した画像印刷物を排出する排出段階（ステップＳ１０）とを備え、各段階が順に処理されることにより、見る角度を変えると画像が直ちに他の画像へ切り換わるチェンジング、見る角度を変えると画像が徐々に他の画像へ変化するモーフィング、見る角度を変えると画像が移動して変化するムービング、見る角度を変えると画像が拡大又は縮小するズームの少なくとも１つの視覚効果を有する画像印刷物を作成する。
【００３２】
ここで、レンチキュラシート２を用いてチェンジング、モーフィング、ムーンビング、ズームの視覚効果を有する画像印刷物は、図４に示す如く、レンチキュラレンズ１の形状により裏側の平滑面の焦点を結び、図５に示す如く、挿入された複数の画像のうち、一つのレンズ視覚角度で一つの画像を見せることにより、見る角度を変えると種々の視覚効果を生じるようになっている。なお、図５中、１１は目の位置を示している。
【００３３】
以下、画像印刷物に表現される視覚効果がチェンジングである場合について、確認段階（ステップＳ１）から視覚効果に応じる段階（ステップＳ４）までを、図６のフローにより詳細に説明する。
【００３４】
課金検出部３により課金を確認する確認段階（ステップＳ１）の後には、ユーザがどのような視覚効果を希望するのか表示部４において選択画面を表示し（ステップＳ２ａ）、ユーザからの視覚効果の選択指示を受ける（ステップＳ２ｂ）。次に、視覚効果としてチェンジングを選択することにより使用画像を取り込む取込段階（ステップＳ３）へ移行し、他の視覚効果を選択した場合には他の処理へ移行する（ステップＳ２ｃ）。
【００３５】
使用画像を取り込む取込段階（ステップＳ３）では、画像印刷物に使用する使用画像を、撮影手段による写真撮影、内部画像記憶手段からの読込、外部画像記憶手段からの読込のいずれを使用するのか、表示部４により表示してユーザからの選択指示を受け（ステップＳ３ａ）、次に、チェンジングの視覚効果を行う画像数を決めるよう、画像の取込枚数（変化数）の入力指示を受け（ステップＳ３ｂ）、撮影手段を用いた写真撮影による取込（ステップＳ３ｃ，Ｓ３ｄ）、内部画像記憶手段を用いた内部画像からの取込（ステップＳ３ｅ，Ｓ３ｆ）、外部画像記憶手段を用いた外部画像からの取込（ステップＳ３ｇ，Ｓ３ｈ）を適宜行い、読込画像を表示部４に表示し（ステップＳ３ｉ）、視覚効果に応じる処理段階（ステップＳ４）へ移行する。ここで、撮影手段を用いた写真撮影による取込（ステップＳ３ｃ，Ｓ３ｄ）は、写真撮影の要求があった場合（ステップＳ３ｃのＹｅｓ）に、写真撮影の処理（ステップＳ３ｄ）を介して内部画像の取込（ステップＳ３ｅ，Ｓ３ｆ）へ移行し、写真撮影の要求がない場合（ステップＳ３ｃのＮｏ）には、直接、内部画像の取込（ステップＳ３ｅ，Ｓ３ｆ）へ移行している。又、内部画像記憶手段を用いた内部画像からの取込（ステップＳ３ｅ，Ｓ３ｆ）は、内部画像の要求があった場合（ステップＳ３ｅのＹｅｓ）に、内部画像の読込（ステップＳ３ｆ）を介して外部画像の取込（ステップＳ３ｇ，Ｓ３ｈ）へ移行し、内部画像の要求がない場合（ステップＳ３ｅのＮｏ）には、直接、外部画像の取込（ステップＳ３ｇ，Ｓ３ｈ）へ移行している。更に、外部画像記憶手段を用いた外部画像からの取込（ステップＳ３ｇ，Ｓ３ｈ）は、外部画像の要求があった場合（ステップＳ３ｇのＹｅｓ）に、外部画像の読込（ステップＳ３ｈ）を介して取込画像（読込画像）の表示（ステップＳ３ｉ）へ移行し、外部画像の要求がない場合（ステップＳ３ｇのＮｏ）には、直接、取込画像（読込画像）の表示（ステップＳ３ｉ）へ移行している。なお、画像印刷物の作成方法及びその作成装置の構成によっては、写真撮影、内部画像、外部画像のいずれか一つの処理を備えるものでも良し、使用画像の取込の順番を変更しても良い。又、図６のステップＳ３ｂでは撮影写真がＬ枚、外部画像がｍ枚、内部画像がｎ枚を示している。
【００３６】
視覚効果に応じる段階（ステップＳ４）では、チェンジングの視覚効果としてどのような順番で使用画像を変化させるのか表示部４で表示してユーザからの選択指示を受け（ステップＳ４ａ）、次に、内部に記録された背景画像データ（ステップＳ４ｃ）により、使用画像の背景をどのような画像にするのか表示部４で表示してユーザからの選択指示を受け（ステップＳ４ｂ）、背景画像を合成し（ステップＳ４ｄ）、チェンジングの視覚効果を生じる複数枚の画像を完成させる（ステップＳ４ｅ）。
【００３７】
ここで、画像印刷物に表現される視覚効果がモーフィングである場合には、図７のフローに示す如く、確認段階（ステップＳ１）から使用画像を取り込む取込段階（ステップＳ３）ではチェンジングの場合と略同じであり、視覚効果に応じる段階（ステップＳ４）では、モーフィングの視覚効果としてどのような順番で使用画像を変化させるのか表示部４で表示してユーザからの選択指示を受け（ステップＳ４ｆ）、次に、使用画像の各間の中間変化画像を作成して（ステップＳ４ｇ）、画像が徐々に変化するよう複数枚の画像を完成し（ステップＳ４ｈ）、続いて、内部に記録された背景画像データ（ステップＳ４ｊ）から、使用画像の背景をどのような画像にするのか表示部４で表示してユーザからの選択指示を受け（ステップＳ４ｉ）、背景画像を合成し（ステップＳ４ｋ）、モーフィングの視覚効果を生じる複数枚の画像を完成させる（ステップＳ４Ｌ）。
【００３８】
又、画像印刷物に表現される視覚効果がムービングである場合は、図８のフローに示す如く、確認段階（ステップＳ１）から使用画像を取り込む取込段階（ステップＳ３）ではチェンジングの場合と略同じであり、視覚効果に応じる処理段階（ステップＳ４）では、ムービングの視覚効果としてどのような移動方向（順番）で使用画像を変化させるのか表示部４で表示し、ユーザからの選択指示を受けて複製、平行移動、合成処理し（ステップＳ４ｍ）、次に、使用画像が移動して変化するようコマ送り画像を作成して複数枚の画像を完成し（ステップＳ４ｎ）、続いて、内部に記録された背景画像データ（ステップＳ４ｐ）から、使用画像の背景をどのような画像にするのか表示部４で表示してユーザからの選択指示を受け（ステップＳ４ｏ）、背景画像を合成し（ステップＳ４ｑ）、ムービングの視覚効果を生じる複数枚の画像を完成させる（ステップＳ４ｒ）。
【００３９】
更に、画像印刷物に表現される視覚効果がズームである場合は、図９のフローに示す如く、確認段階（ステップＳ１）から使用画像を取り込む取込段階（ステップＳ３）ではチェンジングの場合と略同じであり、視覚効果に応じる処理段階（ステップＳ４）では、ズームの視覚効果としてどのような拡大／縮小で使用画像を変化させるのか表示部４で表示し、ユーザからの選択指示を受けて複製、拡大／縮小、合成処理し（ステップＳ４ｓ）、次に、使用画像が拡大／縮小して変化するようコマ送り画像を作成して複数枚の画像を完成し（ステップＳ４ｔ）、続いて、内部に記録された背景画像データ（ステップＳ４ｖ）から、使用画像の背景をどのような画像にするのか表示部４で表示してユーザからの選択指示を受け（ステップＳ４ｕ）、背景画像を合成し（ステップＳ４ｗ）、ズームの視覚効果を生じる複数枚の画像を完成させる（ステップＳ４ｘ）。
【００４０】
続いて、画像取込部５により使用画像を取り込む取込段階（ステップＳ３）を、写真撮影による取込（ステップＳ３ｃ，Ｓ３ｄ）、内部画像からの取込（ステップＳ３ｅ，Ｓ３ｆ）、外部画像からの取込（ステップＳ３ｇ，Ｓ３ｈ）の各場合で図１０〜図１２のフローにより詳細に説明する。
【００４１】
撮影手段を用いた写真撮影による取込（ステップＳ３ｃ，Ｓ３ｄ）は、図１０のフローに示す如く、カメラやＣＣＤ等の撮影手段によりユーザ自身等の被写体を表示部４に表示し（ステップＳ１０）、シャッターオンの指示を受けて撮影し（ステップＳ１１）、表示部４により撮影される撮影状態等の確認指示を受け（ステップＳ１２）、撮影画像を使用画像として読み込み（ステップＳ１３）、画像の読込枚数が所定の入力枚数Ｌに達したか否かを確認し（ステップＳ１４）、読み込んだ使用画像（写真）の色調や光度等を調整して最適化し（ステップＳ１５）、写真撮影の取込段階を終了する。ここで、撮影状態等の確認時（ステップＳ１２）において撮影をやり直したい場合（ステップＳ１２のＮｏ）には、撮影手段により被写体を表示部４に表示する段階（ステップＳ１０）へ戻るようになっている。又、画像の読込枚数が所定の入力枚数Ｌに達したか否かを確認する段階（ステップＳ１４）では、画像の読込枚数が所定枚数Ｌに達していない場合（ステップＳ１４のＮｏ）に、撮影手段により被写体を表示部４に表示する段階（ステップＳ１０）へ戻るようになっている。なお、写真撮影に使用するカメラ等の撮影手段は、複数台を備えて同時に被写体を撮影しても良いし、所定の一台が被写体の周囲を走行して連続的に撮影するようにしても良い。
【００４２】
内部画像記憶手段を用いた内部画像からの取込（ステップＳ３ｅ，Ｓ３ｆ）は、図１１のフローに示す如く、装置内に設置された内部画像記憶手段から記憶画像データを読み出し（ステップＳ２１）、画像を表示部４に表示し（ステップＳ２０）、所望の画像を選択し（ステップＳ２２）、表示部４により表示される画像の確認指示を受け（ステップＳ２３）、画像を使用画像として読み込み（ステップＳ２４）、画像の読込枚数が所定の入力枚数ｎに達したか否かを確認し（ステップＳ２５）、内部画像からの取込段階を終了する。ここで、画像の確認時（ステップＳ２３）において画像を変更したい場合（ステップＳ２３のＮｏ）には、画像を表示部４に表示する段階（ステップＳ２０）へ戻るようになっている。又、画像の読込枚数が所定の入力枚数ｎに達したか否かを確認する段階（ステップＳ２５）では、画像の読込枚数が所定枚数ｎに達していない場合（ステップＳ２５のＮｏ）に、画像を表示部４に表示する段階（ステップＳ２０）へ戻るようになっている。
【００４３】
外部画像記憶手段を用いた外部画像からの取込（ステップＳ３ｇ，Ｓ３ｈ）は、図１２のフローに示す如く、携帯電話、携帯情報端末、デジタルカメラ等の記録手段や、ＣＤ−Ｒ等の光ディスク、メモリーカード等の記録メディアの外部画像記憶手段から、どの外部画像記憶手段や方法を用いるのか、表示部４により表示してユーザからの選択指示を受ける（ステップＳ３０）。種々の選択肢の中から携帯電話等の記録手段でメールでの送信が選択された場合には、ユーザにより記録手段から装置側メールアドレスへ画像データが送信されることにより（ステップＳ３１ａ）、画像取込部５で画像データを受信し（ステップＳ３２ａ）、表示部４に画像を表示する（ステップＳ３３）。又、種々の選択肢の中から携帯電話等の記録手段で、ＵＳＢやＦiｒｅ  Ｗｉｒｅ等の有線データ送信が選択された場合には、ユーザにより記録手段の端子が接続されることにより（ステップＳ３１ｂ）、画像取込部５で画像データを読み込み（ステップＳ３２ｂ）、表示部４に画像を表示する（ステップＳ３３）。更に、種々の選択肢の中から携帯電話等の記録手段で、Ｂｌｕｅｔｏｏｔｈ等の無線データ送信が選択された場合には、ユーザにより記録手段から画像データが送信されることにより（ステップＳ３１ｃ）、画像取込部５で画像データを受信し（ステップＳ３２ｃ）、表示部４に画像を表示する（ステップＳ３３）。更に又、種々の選択肢の中から携帯電話等の記録手段で、メモリカード等の記録メディアが選択された場合には、ユーザにより記録メディアが画像取込部５のスロット等に挿入されることにより（ステップＳ３１ｄ）、画像取込部５で画像データを読み込み（ステップＳ３２ｄ）、表示部４に画像を表示する（ステップＳ３３）。その後、表示部４により表示される画像の確認指示を受けて（ステップＳ３４）、画像を使用画像として読み込み（ステップＳ３５）、画像の読込枚数が所定の入力枚数ｍに達したか否かを確認し（ステップＳ３６）、使用画像を切り抜いて使用するのか、表示部４によりユーザからの選択指示を受け（ステップＳ３７）、切り抜き処理する場合（ステップＳ３７のＹｅｓ）には画像を切り抜いて（ステップＳ３８）外部画像からの取込段階を終了し、切り抜き処理をしない場合（ステップＳ３７のＮｏ）には画像を切り抜くことなく、外部画像からの取込段階を終了する。ここで、画像の確認時（ステップＳ３４）において画像を変更したい場合（ステップＳ３４のＮｏ）には、外部画像記憶手段等の選択段階（ステップＳ３０）へ戻るようになっている。又、画像の読込枚数が所定の入力枚数ｍに達したか否かを確認する段階（ステップＳ３６）では、画像の読込枚数が所定枚数ｍに達していない場合（ステップＳ３６のＮｏ）に、外部画像記憶手段等の選択段階（ステップＳ３０）へ戻るようになっている。
【００４４】
以下、レンチキュラシート２に画像を対応させるインターレース処理の段階（ステップＳ５）の第一例を図１３〜図１６により詳細に説明し、第二例を図１７〜図１９により詳細に説明する。
【００４５】
第一例のインターレース処理の段階（ステップＳ５）では、視覚効果に応じる処理段階（ステップＳ４）で作成された複数枚の画像を、夫々、レンチキュラシート２の総レンチキュラレンズ数で電気的に分割して複数の矩形画像情報を形成する（図１３のステップＳ５ａ、図１４では４つの画像Ａ，Ｂ，Ｃ，Ｄの場合で示す。）。次に、複数の矩形画像情報を、
［式１］
［レンズ幅×（１〜１．０１）÷レンチキュラシート挿入画像数］
で表される幅に、画像を圧縮加工して線状画像情報を形成する（図１３のステップＳ５ｂ、図１５では１つの画像Ｂの場合で示す。）。続いて、チェンジング、モーフィング、ムーンビング、ズームの視覚効果で画像が変化するよう、線状画像情報を各レンチキュラレンズの単位ごとに所定の順番でシリアル配列し（図１３のステップＳ５ｃ、図１５の前段階では４つの画像Ａ，Ｂ，Ｃ，Ｄを配列する状態を示す。）、画像合成し（図１３のステップＳ５ｄ、図１５の後段階では４つの画像Ａ，Ｂ，Ｃ，Ｄを合成する状態を示す。）、インターレース処理の段階を完了する。
【００４６】
第二例のインターレース処理の段階（ステップＳ５）では、視覚効果に応じる処理段階（ステップＳ４）で作成された複数枚の画像を、夫々、第一例のインターレース処理と略同様に、レンチキュラシートの総レンチキュラレンズ数で電気的に分割して複数の矩形画像情報を形成する（図１７のステップＳ５ｅ）。次に、複数の矩形画像情報を、
［式２］
［レンズ幅×（１〜１．０１）÷レンチキュラシート挿入画像数］
で表される幅に、画像を切取加工して線状画像情報を形成する（図１７のステップＳ５ｆ、図１８では１つの画像Ｂの場合で示す。）。続いて、線状画像情報を［レンズ幅×（１〜１．０１）］のピッチで配列する（図１７のステップＳ５ｇ、図１９の前段階では４つの画像Ａ，Ｂ，Ｃ，Ｄを配列する状態を示す。）。更に、チェンジング、モーフィング、ムーンビング、ズームの視覚効果で画像が変化するよう、配列後の線状画像情報を、各画像の変化ごとに
［式３］
［レンズ幅×（１〜１．０１）÷レンチキュラシート挿入画像数×画像変化順番］
で表される、所定のずらし量でずらして重ね合わせ（図１７のステップＳ５ｈ、図１９の中段階では４つの画像Ａ，Ｂ，Ｃ，Ｄをずらして重ね合せる状態を示す。）、画像合成し（図１７のステップＳ５ｉ、図１５の後段階では４つの画像Ａ，Ｂ，Ｃ，Ｄを合成する状態を示す。）、インターレース処理の段階を完了する。
【００４７】
ここで、第一例及び第二例の式１〜３において、レンズ幅に（１〜１．０１）を掛ける理由は、レンズピッチＰに対する絵柄ピッチＰｐは次式で表されることから、
［式４］
Ｐｐ＝［１＋（ｔ−ｒ）／Ｄ］×Ｐ
Ｄ：レンチキュラ製品を観察する距離
ｔ：レンチキュラレンズの厚さ
ｒ：レンチキュラレンズの曲率半径
絵柄ピッチＰｐの数値は、レンチキュラ製品を観察する距離や、レンズ仕様（レンチキュラレンズの厚さ、レンチキュラレンズの曲率半径）により変化し、これらを変化させても、［１＋（ｔ−ｒ）／Ｄ］により１〜１．０１の範囲に入るためである。
【００４８】
続いて、インターレース処理（ステップＳ５）の後の、レンチキュラシート若しくはメディアシートへ画像を出力する出力段階（ステップＳ６，Ｓ７，Ｓ８）は、図１、図２に示す如くレンチキュラシート２に画像を出力するもの（ステップＳ６）と、紙やプラスチックシート等のメディアシート（通常記録材料）に画像を出力するもの（ステップＳ７，Ｓ８）とがあり、以下、詳細に説明する。
【００４９】
レンチキュラシート２に画像を出力するもの（ステップＳ６）は、インターレース処理した画像とレンチキュラシート２とを出力部７により位置合わせし、画像を直接レンチキュラシート２に出力する。ここで、画像とレンチキュラシート２との位置合わせは、レンチキュラシート２のエッジをアライメント枠に突き当ててレンチキュラシート２の位置を決定しても良いし、感圧信号、光学信号、画像信号等によりレンズの所定位置を検出してレンチキュラシート２の位置を検出・調整しても良いし、レンチキュラシート２に所定のアライメントマークを入れてアライメントマークの検出によりレンチキュラシート２の位置を検出・調整しても良い。又、レンチキュラシート２への出力は、感光剤を用いる銀塩式でも良いし、インクジェットプリンタ、昇華式プリンタ、電子写真式プリンタによるものでも良い。
【００５０】
紙やプラスチックシート等のメディアシートに画像を出力するもの（ステップＳ７，Ｓ８）は、インターレース処理した画像を紙やプラスチックシート等のメディアシートに出力し（ステップＳ７）、出力したメディアシートとレンチキュラシート２とを位置合わせして貼り付ける（ステップＳ８）。ここで、メディアシートへの出力は、感光剤を用いる銀塩式でも良いし、インクジェットプリンタ、昇華式プリンタ、電子写真式プリンタによるものでも良い。又、出力したメディアシートとレンチキュラシート２との位置合わせは、レンチキュラシート２のエッジをアライメント枠に突き当ててレンチキュラシート２の位置を決定しても良いし、感圧信号、光学信号、画像信号等によりレンズの所定位置を検出してレンチキュラシート２の位置を検出・調整しても良いし、レンチキュラシート２に所定のアライメントマークを入れてアライメントマークの検出によりレンチキュラシート２の位置を検出・調整しても良い。
【００５１】
レンチキュラシート２若しくはメディアシートへ画像を出力した（ステップＳ６，Ｓ７，Ｓ８）後には、所定の大きさに裁断する処理や、台紙の貼り合わせ処理、裏面の塗布処理等を適宜行い（ステップＳ９）、画像印刷物（レンチキュラ製品）として排出する（ステップＳ１０）。
【００５２】
このように、本発明の形態例の画像印刷物の作成方法及びその作成装置によれば、使用画像の取込から画像印刷物の作成までを、視覚効果に応じる処理と、レンチキュラシート２に画像を対応させるインターレース処理とを介して一連の処理で行うことにより、チェンジング、モーフィング、ムービング、ズームの少なくとも１つの視覚効果を備えるので、画像印刷物は、固定した視覚効果に限定されることなく、見る角度によって画像が変化するような視覚効果を得ることができる。又、使用画像の取込から画像印刷物の作成までを一連の処理で行うので、視覚効果を備えた画像印刷物を、使用画像の取込から容易に且つ連続的に作成することができる。
【００５３】
課金を確認する処理を備え、課金確認から画像印刷物の作成までを一連の処理で行うと、視覚効果を備えた画像印刷物を、課金確認から容易に且つ連続的に作成することができる。
【００５４】
使用画像の取込を、撮影手段による撮影、内部画像記憶手段からの読込、外部画像記憶手段からの読込より選択して行うと、使用画像の自由度を高めるので、見る角度によって画像が変化するような視覚効果を一層高めると共に、視覚効果を備えた画像印刷物を容易に作成することができる。
【００５５】
インターレース処理した画像をメディアシートに出力すると、画像印刷部の作成を一層容易にするので、使用画像の取込から画像印刷物の作成までを好適に行うと共に製造コストを低減することができる。
【００５６】
インターレース処理した画像をメディアシートに出力し、出力したメディアシートとレンチキュラシート２とを位置合わせするよう貼り付けて画像印刷物を作成すると、画像印刷部の作成を容易にするので、使用画像の取込から画像印刷物の作成までを好適に行うことができる。
【００５７】
インターレース処理した画像をレンチキュラシート２に位置合わせして出力すると、画像印刷部の作成を容易にするので、使用画像の取込から画像印刷物の作成までを好適に行うことができる。
【００５８】
視覚効果に応じる処理で、チェンジングの処理は、画像が直ちに他の画像へ切り換わるよう使用画像の変化の順番を選択し、モーフィングの処理は、画像が徐々に変化するよう使用画像の変化の順番を選択し且つ中間変化画像を作成し、ムービングの処理は、画像が移動して変化するよう使用画像の移動の順番を選択し且つコマ送り画像を作成し、ズームの処理は、画像が拡大又は縮小するよう使用画像の変化の順番を選択し且つコマ送り画像を作成すると、視覚処理に応じる処理を容易に行うので、使用画像の取込から画像印刷物の作成までを好適に行うことができる。
【００５９】
インターレース処理は、レンチキュラシート２のレンチキュラレンズ数に対応するよう画像を分割し、分割した画像をレンチキュラレンズ１の幅に対応するよう線状画像に加工し、前記線状画像を、画像が変化する順番で各レンチキュラレンズ１単位ごとに配列すると、インターレース処理を容易に行うので、使用画像の取込から画像印刷物の作成までを好適に行うことができる。
【００６０】
インターレース処理は、レンチキュラシート２のレンチキュラレンズ数に対応するよう画像を分割し、分割した画像をレンチキュラレンズ１の幅に対応するよう線状画像に加工し、前記線状画像をレンチキュラレンズ１の配置に対応するピッチで配列し、夫々の線状画像を、画像が変化する順番でずらして重ね合せると、インターレース処理を容易に行うので、使用画像の取込から画像印刷物の作成までを好適に行うことができる。
【００６１】
なお、本発明の画像印刷物の作成方法及びその作成装置は、上述の図示例にのみ限定されるものではなく、レンチキュラシートを用いて視覚効果を有する画像印刷物を一連の処理で作成するならば、処理の順番や装置の構成を変更しても良いこと、その他、本発明の要旨を逸脱しない範囲内において種々変更を加え得ることは勿論である。
【図面の簡単な説明】
【００６２】
【図１】本発明を実施する形態例であって課金確認からレンチキュラ製品排出までの過程を示す基本フロー図である。
【図２】本発明を実施する形態例の構成ブロック図である。
【図３】レンチキュラレンズの基本的な構造を示す斜視図である。
【図４】レンチキュラレンズの基本的な集光特性を説明する概念図である。
【図５】レンチキュラシートを用いた画像印刷物の視覚効果を説明する概念図である。
【図６】本発明を実施する形態例であって視覚効果がチェンジングの場合を示すフロー図である。
【図７】本発明を実施する形態例であって視覚効果がモーフィングの場合を示すフロー図である。
【図８】本発明を実施する形態例であって視覚効果がムービングの場合を示すフロー図である。
【図９】本発明を実施する形態例であって視覚効果がズームの場合を示すフロー図である。
【図１０】本発明を実施する形態例であって写真撮影のフロー図である。
【図１１】本発明を実施する形態例であって内部画像読込のフロー図である。
【図１２】本発明を実施する形態例であって外部画像読込のフロー図である。
【図１３】本発明を実施する形態例であってインターレース処理の第一例の場合を示すフロー図である。
【図１４】インターレース処理の第一例であって原画像分割処理を概念的に示す概略図である。
【図１５】インターレース処理の第一例であって線状画像処理を概念的に示す概略図である。
【図１６】インターレース処理の第一例であって線状画像のシリアル配列処理を概念的に示す概略図である。
【図１７】本発明を実施する形態例であってインターレース処理の第二例の場合を示すフロー図である。
【図１８】インターレース処理の第二例であって線状画像処理を概念的に示す概略図である。
【図１９】インターレース処理の第二例であって線状画像をずらして重ね合わせる処理を概念的に示す概略図である。
【符号の説明】
【００６３】
１  レンチキュラレンズ
２  レンチキュラシート
５  画像取込部
７  出力部
９  画像処理部
１０  インターレース処理部
【図１】
2006205581.tif 000003
【図２】
2006205581.tif 000004
【図３】
2006205581.tif 000005
【図４】
2006205581.tif 000006
【図５】
2006205581.tif 000007
【図６】
2006205581.tif 000008
【図７】
2006205581.tif 000009
【図８】
2006205581.tif 000010
【図９】
2006205581.tif 000011
【図１０】
2006205581.tif 000012
【図１１】
2006205581.tif 000013
【図１２】
2006205581.tif 000014
【図１３】
2006205581.tif 000015
【図１４】
2006205581.tif 000016
【図１５】
2006205581.tif 000017
【図１６】
2006205581.tif 000018
【図１７】
2006205581.tif 000019
【図１８】
2006205581.tif 000020
【図１９】
2006205581.tif 000021